【手続補正書】
【提出日】平成25年6月11日(2013.6.11)
【手続補正１】
【補正対象書類名】特許請求の範囲
【補正対象項目名】全文
【補正方法】変更
【補正の内容】
【特許請求の範囲】
【請求項１】
移動局装置において、
プライマリーセルまたはセカンダリーセルにおいて、物理ランダムアクセスチャネルを用いてランダムアクセスプリアンブルを送信し、
前記プライマリーセルにおいて、物理上りリンク制御チャネルを用いて制御情報を送信する送信部と、
前記物理上りリンク制御チャネルに対する送信電力制御コマンドを含む下りリンク制御情報フォーマットを物理下りリンク制御チャネルを用いて受信し、
前記ランダムアクセスプリアンブルに対応するランダムアクセスレスポンスを物理下りリンク共用チャネルを用いて受信する受信部と、
前記送信電力制御コマンドによって示される値を累算することにより算出される第１のパラメータと、上位層によって指定される第２のパラメータとを用いて、サブフレームにおける前記物理上りリンク制御チャネルに対する送信電力を設定する送信電力制御部とを備え、
前記送信電力制御部は、更に、前記プライマリーセルに対する前記ランダムアクセスレスポンスを受信した場合は、前記第１のパラメータの累算をリセットすることを特徴とする移動局装置。
【請求項２】
前記送信電力制御部は、上位層によって前記第２のパラメータの値が変更される場合は、前記第１のパラメータの累算をリセットすることを特徴とする請求項１に記載の移動局装置。
【請求項３】
前記送信電力制御部は、
上位層によって前記第２のパラメータの値が変更される場合は、前記第１のパラメータの初期値を、０にセットし、
上位層によって前記第２のパラメータの値が変更される場合以外は、前記第１のパラメータの初期値を、前記プライマリーセルで最初に送信されたプリアンブルから最後に送信されたプリアンブルまでにランプアップした電力の総量と、前記プライマリーセルで送信された前記ランダムアクセスプリアンブルに対応する前記ランダムアクセスレスポンスに含まれる前記送信電力制御コマンドによって示される値とを少なくとも用いてセットすることを特徴とする請求項２に記載の移動局装置。
【請求項４】
前記受信部は、前記プライマリーセルで送信した前記ランダムアクセスプリアンブルに対応する前記ランダムアクセスレスポンス、および、前記セカンダリーセルで送信した前記ランダムアクセスプリアンブルに対応する前記ランダムアクセスレスポンスを、前記プライマリーセルの前記物理下りリンク共用チャネルで受信することを特徴とする請求項１から請求項３のいずれかに記載の移動局装置。
【請求項５】
基地局装置において、
プライマリーセルまたはセカンダリーセルにおいて、物理ランダムアクセスチャネルを用いて、ランダムアクセスプリアンブルを移動局装置から受信し、
前記プライマリーセルにおいて、物理上りリンク制御チャネルを用いて、制御情報を前記移動局装置から受信する受信部と、
前記物理上りリンク制御チャネルに対する送信電力制御コマンドを含む下りリンク制御情報フォーマットを、物理下りリンク制御チャネルを用いて、前記移動局装置へ送信し、
前記ランダムアクセスプリアンブルに対応するランダムアクセスレスポンスを、物理下りリンク共用チャネルを用いて、前記移動局装置へ送信する送信部と、
前記移動局装置が、前記送信電力制御コマンドによって示される値を累算することにより第１のパラメータを算出し、前記第１のパラメータを用いてサブフレームにおける前記物理上りリンク制御チャネルに対する送信電力を設定しており、前記プライマリーセルに対する前記ランダムアクセスレスポンスが前記移動局装置によって受信された場合は、前記移動局装置が、第１のパラメータの累算をリセットしたとみなすことによって、前記物理上りリンク制御チャネルに対する前記送信電力制御コマンドの値を決定するスケジューリング部と、を備えることを特徴とする基地局装置。
【請求項６】
前記送信部は、前記プライマリーセルで受信した前記ランダムアクセスプリアンブルに対応する前記ランダムアクセスレスポンス、および、前記セカンダリーセルで受信した前記ランダムアクセスプリアンブルに対応する前記ランダムアクセスレスポンスを、前記プライマリーセルの前記物理下りリンク共用チャネルで送信することを特徴とする請求項５に記載の基地局装置。
【請求項７】
移動局装置に用いられる無線通信方法において、
プライマリーセルまたはセカンダリーセルにおいて、物理ランダムアクセスチャネルを用いてランダムアクセスプリアンブルを送信し、
前記プライマリーセルにおいて、物理上りリンク制御チャネルを用いて制御情報を送信し、
前記物理上りリンク制御チャネルに対する送信電力制御コマンドを含む下りリンク制御情報フォーマットを物理下りリンク制御チャネルを用いて受信し、
前記ランダムアクセスプリアンブルに対応するランダムアクセスレスポンスを物理下りリンク共用チャネルを用いて受信し、
前記送信電力制御コマンドによって示される値を累算することにより算出される第１のパラメータと、上位層によって指定される第２のパラメータとを用いて、サブフレームにおける前記物理上りリンク制御チャネルに対する送信電力を設定し、
前記プライマリーセルに対する前記ランダムアクセスレスポンスが受信された場合は、前記第１のパラメータの累算をリセットする、
ことを特徴とする移動局装置の無線通信方法。
【請求項８】
基地局装置に用いられる無線通信方法において、
プライマリーセルまたはセカンダリーセルにおいて、物理ランダムアクセスチャネルを用いて、ランダムアクセスプリアンブルを移動局装置から受信し、
前記プライマリーセルにおいて、物理上りリンク制御チャネルを用いて、制御情報を前記移動局装置から受信し、
前記物理上りリンク制御チャネルに対する送信電力制御コマンドを含む下りリンク制御情報フォーマットを、物理下りリンク制御チャネルを用いて、前記移動局装置へ送信し、
前記ランダムアクセスプリアンブルに対応するランダムアクセスレスポンスを、物理下りリンク共用チャネルを用いて、前記移動局装置へ送信し、
前記移動局装置が、前記送信電力制御コマンドによって示される値を累算することにより第１のパラメータを算出し、前記第１のパラメータを用いてサブフレームにおける前記物理上りリンク制御チャネルに対する送信電力を設定しており、前記プライマリーセルに対する前記ランダムアクセスレスポンスが前記移動局装置によって受信された場合は、前記移動局装置が、第１のパラメータの累算をリセットしたとみなすことによって、前記物理上りリンク制御チャネルに対する前記送信電力制御コマンドの値を決定する、
ことを特徴とする基地局装置の無線通信方法。
【請求項９】
移動局装置に実装される集積回路において、
プライマリーセルまたはセカンダリーセルにおいて、物理ランダムアクセスチャネルを用いてランダムアクセスプリアンブルを送信する機能と、
前記プライマリーセルにおいて、物理上りリンク制御チャネルを用いて制御情報を送信する機能と、
前記物理上りリンク制御チャネルに対する送信電力制御コマンドを含む下りリンク制御情報フォーマットを物理下りリンク制御チャネルを用いて受信する機能と、
前記ランダムアクセスプリアンブルに対応するランダムアクセスレスポンスを物理下りリンク共用チャネルを用いて受信する機能と、
前記送信電力制御コマンドによって示される値を累算することにより算出される第１のパラメータと、上位層によって指定される第２のパラメータとを用いて、サブフレームにおける前記物理上りリンク制御チャネルに対する送信電力を設定する機能と、
前記プライマリーセルに対する前記ランダムアクセスレスポンスが受信された場合は、前記第１のパラメータの累算をリセットする機能と、
を含む複数の機能を前記移動局装置に発揮させることを特徴とする集積回路。
【請求項１０】
基地局装置に実装される集積回路において、
プライマリーセルまたはセカンダリーセルにおいて、物理ランダムアクセスチャネルを用いて、ランダムアクセスプリアンブルを移動局装置から受信する機能と、
前記プライマリーセルにおいて、物理上りリンク制御チャネルを用いて、制御情報を前記移動局装置から受信する機能と、
前記物理上りリンク制御チャネルに対する送信電力制御コマンドを含む下りリンク制御情報フォーマットを、物理下りリンク制御チャネルを用いて、前記移動局装置へ送信する機能と、
前記ランダムアクセスプリアンブルに対応するランダムアクセスレスポンスを、物理下りリンク共用チャネルを用いて、前記移動局装置へ送信する機能と、
前記移動局装置が、前記送信電力制御コマンドによって示される値を累算することにより第１のパラメータを算出し、前記第１のパラメータを用いてサブフレームにおける前記物理上りリンク制御チャネルに対する送信電力を設定しており、前記プライマリーセルに対する前記ランダムアクセスレスポンスが前記移動局装置によって受信された場合は、前記移動局装置が、第１のパラメータの累算をリセットしたとみなすことによって、前記物理上りリンク制御チャネルに対する前記送信電力制御コマンドの値を決定するする機能と、
を含む複数の機能を前記基地局装置に発揮させることを特徴とする集積回路。
【手続補正２】
【補正対象書類名】明細書
【補正対象項目名】０００９
【補正方法】変更
【補正の内容】
【０００９】
（１）上記の目的を達成するために、本発明は、以下のような手段を講じた。すなわち、本発明の移動局装置は、移動局装置において、プライマリーセルまたはセカンダリーセルにおいて、物理ランダムアクセスチャネルを用いてランダムアクセスプリアンブルを送信し、前記プライマリーセルにおいて、物理上りリンク制御チャネルを用いて制御情報を送信する送信部と、前記物理上りリンク制御チャネルに対する送信電力制御コマンドを含む下りリンク制御情報フォーマットを物理下りリンク制御チャネルを用いて受信し、前記ランダムアクセスプリアンブルに対応するランダムアクセスレスポンスを物理下りリンク共用チャネルを用いて受信する受信部と、前記送信電力制御コマンドによって示される値を累算することにより算出される第１のパラメータと、上位層によって指定される第２のパラメータとを用いて、サブフレームにおける前記物理上りリンク制御チャネルに対する送信電力を設定する送信電力制御部とを備え、前記送信電力制御部は、更に、前記プライマリーセルに対する前記ランダムアクセスレスポンスを受信した場合は、前記第１のパラメータの累算をリセットすることを特徴としている。
【手続補正３】
【補正対象書類名】明細書
【補正対象項目名】００１０
【補正方法】変更
【補正の内容】
【００１０】
（２）また、本発明は、上記の移動局装置において、前記送信電力制御部は、上位層によって前記第２のパラメータの値が変更される場合は、前記第１のパラメータの累算をリセットすることを特徴としている。
【手続補正４】
【補正対象書類名】明細書
【補正対象項目名】００１１
【補正方法】変更
【補正の内容】
【００１１】
（３）また、本発明は、上記の移動局装置において、前記送信電力制御部は、上位層によって前記第２のパラメータの値が変更される場合は、前記第１のパラメータの初期値を、０にセットし、上位層によって前記第２のパラメータの値が変更される場合以外は、前記第１のパラメータの初期値を、前記プライマリーセルで最初に送信されたプリアンブルから最後に送信されたプリアンブルまでにランプアップした電力の総量と、前記プライマリーセルで送信された前記ランダムアクセスプリアンブルに対応する前記ランダムアクセスレスポンスに含まれる前記送信電力制御コマンドによって示される値とを少なくとも用いてセットすることを特徴としている。
【手続補正５】
【補正対象書類名】明細書
【補正対象項目名】００１２
【補正方法】変更
【補正の内容】
【００１２】
（４）また、本発明は、上記の移動局装置において、前記受信部は、前記プライマリーセルで送信した前記ランダムアクセスプリアンブルに対応する前記ランダムアクセスレスポンス、および、前記セカンダリーセルで送信した前記ランダムアクセスプリアンブルに対応する前記ランダムアクセスレスポンスを、前記プライマリーセルの前記物理下りリンク共用チャネルで受信することを特徴としている。
【手続補正６】
【補正対象書類名】明細書
【補正対象項目名】００１３
【補正方法】変更
【補正の内容】
【００１３】
（５）また、本発明の基地局装置は、プライマリーセルまたはセカンダリーセルにおいて、物理ランダムアクセスチャネルを用いて、ランダムアクセスプリアンブルを移動局装置から受信し、前記プライマリーセルにおいて、物理上りリンク制御チャネルを用いて、制御情報を前記移動局装置から受信する受信部と、前記物理上りリンク制御チャネルに対する送信電力制御コマンドを含む下りリンク制御情報フォーマットを、物理下りリンク制御チャネルを用いて、前記移動局装置へ送信し、前記ランダムアクセスプリアンブルに対応するランダムアクセスレスポンスを、物理下りリンク共用チャネルを用いて、前記移動局装置へ送信する送信部と、前記移動局装置が、前記送信電力制御コマンドによって示される値を累算することにより第１のパラメータを算出し、前記第１のパラメータを用いてサブフレームにおける前記物理上りリンク制御チャネルに対する送信電力を設定しており、前記プライマリーセルに対する前記ランダムアクセスレスポンスが前記移動局装置によって受信された場合は、前記移動局装置が、第１のパラメータの累算をリセットしたとみなすことによって、前記物理上りリンク制御チャネルに対する前記送信電力制御コマンドの値を決定するスケジューリング部と、を備えることを特徴としている。
【手続補正７】
【補正対象書類名】明細書
【補正対象項目名】００１４
【補正方法】変更
【補正の内容】
【００１４】
（６）また、本発明は、上記の基地局装置において、前記送信部は、前記プライマリーセルで受信した前記ランダムアクセスプリアンブルに対応する前記ランダムアクセスレスポンス、および、前記セカンダリーセルで受信した前記ランダムアクセスプリアンブルに対応する前記ランダムアクセスレスポンスを、前記プライマリーセルの前記物理下りリンク共用チャネルで送信することを特徴としている。
【手続補正８】
【補正対象書類名】明細書
【補正対象項目名】００１５
【補正方法】変更
【補正の内容】
【００１５】
（７）また、本発明の移動局装置に用いられる無線通信方法は、プライマリーセルまたはセカンダリーセルにおいて、物理ランダムアクセスチャネルを用いてランダムアクセスプリアンブルを送信し、前記プライマリーセルにおいて、物理上りリンク制御チャネルを用いて制御情報を送信し、前記物理上りリンク制御チャネルに対する送信電力制御コマンドを含む下りリンク制御情報フォーマットを物理下りリンク制御チャネルを用いて受信し、前記ランダムアクセスプリアンブルに対応するランダムアクセスレスポンスを物理下りリンク共用チャネルを用いて受信し、前記送信電力制御コマンドによって示される値を累算することにより算出される第１のパラメータと、上位層によって指定される第２のパラメータとを用いて、サブフレームにおける前記物理上りリンク制御チャネルに対する送信電力を設定し、前記プライマリーセルに対する前記ランダムアクセスレスポンスが受信された場合は、前記第１のパラメータの累算をリセットすることを特徴としている。
【手続補正９】
【補正対象書類名】明細書
【補正対象項目名】００１６
【補正方法】変更
【補正の内容】
【００１６】
（８）また、本発明の基地局装置に用いられる無線通信方法は、プライマリーセルまたはセカンダリーセルにおいて、物理ランダムアクセスチャネルを用いて、ランダムアクセスプリアンブルを移動局装置から受信し、前記プライマリーセルにおいて、物理上りリンク制御チャネルを用いて、制御情報を前記移動局装置から受信し、前記物理上りリンク制御チャネルに対する送信電力制御コマンドを含む下りリンク制御情報フォーマットを、物理下りリンク制御チャネルを用いて、前記移動局装置へ送信し、前記ランダムアクセスプリアンブルに対応するランダムアクセスレスポンスを、物理下りリンク共用チャネルを用いて、前記移動局装置へ送信し、前記移動局装置が、前記送信電力制御コマンドによって示される値を累算することにより第１のパラメータを算出し、前記第１のパラメータを用いてサブフレームにおける前記物理上りリンク制御チャネルに対する送信電力を設定しており、前記プライマリーセルに対する前記ランダムアクセスレスポンスが前記移動局装置によって受信された場合は、前記移動局装置が、第１のパラメータの累算をリセットしたとみなすことによって、前記物理上りリンク制御チャネルに対する前記送信電力制御コマンドの値を決定することを特徴としている。
【手続補正１０】
【補正対象書類名】明細書
【補正対象項目名】００１７
【補正方法】変更
【補正の内容】
【００１７】
（９）また、本発明の移動局装置に実装される集積回路は、プライマリーセルまたはセカンダリーセルにおいて、物理ランダムアクセスチャネルを用いてランダムアクセスプリアンブルを送信する機能と、前記プライマリーセルにおいて、物理上りリンク制御チャネルを用いて制御情報を送信する機能と、前記物理上りリンク制御チャネルに対する送信電力制御コマンドを含む下りリンク制御情報フォーマットを物理下りリンク制御チャネルを用いて受信する機能と、前記ランダムアクセスプリアンブルに対応するランダムアクセスレスポンスを物理下りリンク共用チャネルを用いて受信する機能と、前記送信電力制御コマンドによって示される値を累算することにより算出される第１のパラメータと、上位層によって指定される第２のパラメータとを用いて、サブフレームにおける前記物理上りリンク制御チャネルに対する送信電力を設定する機能と、前記プライマリーセルに対する前記ランダムアクセスレスポンスが受信された場合は、前記第１のパラメータの累算をリセットする機能と、を含む複数の機能を前記移動局装置に発揮させることを特徴としている。
【手続補正１１】
【補正対象書類名】明細書
【補正対象項目名】００１８
【補正方法】変更
【補正の内容】
【００１８】
（１０）また、本発明の基地局装置に実装される集積回路は、プライマリーセルまたはセカンダリーセルにおいて、物理ランダムアクセスチャネルを用いて、ランダムアクセスプリアンブルを移動局装置から受信する機能と、前記プライマリーセルにおいて、物理上りリンク制御チャネルを用いて、制御情報を前記移動局装置から受信する機能と、前記物理上りリンク制御チャネルに対する送信電力制御コマンドを含む下りリンク制御情報フォーマットを、物理下りリンク制御チャネルを用いて、前記移動局装置へ送信する機能と、前記ランダムアクセスプリアンブルに対応するランダムアクセスレスポンスを、物理下りリンク共用チャネルを用いて、前記移動局装置へ送信する機能と、前記移動局装置が、前記送信電力制御コマンドによって示される値を累算することにより第１のパラメータを算出し、前記第１のパラメータを用いてサブフレームにおける前記物理上りリンク制御チャネルに対する送信電力を設定しており、前記プライマリーセルに対する前記ランダムアクセスレスポンスが前記移動局装置によって受信された場合は、前記移動局装置が、第１のパラメータの累算をリセットしたとみなすことによって、前記物理上りリンク制御チャネルに対する前記送信電力制御コマンドの値を決定するする機能と、を含む複数の機能を前記基地局装置に発揮させることを特徴としている。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】